(57)【要約】【課題】電解水を生成する電解水生成装置、及び、この電解水生成装置を備えた空気調和除菌システムおいて、電解槽内に水溶液を供給するノズルを、電解槽内の電解水に接触しないように、かつ、コンパクトに配置できるようにする。【解決手段】電解水を貯留する電解槽５１と、電解槽５１に供給される食塩水を貯留する食塩水タンク５９とを備えた電解水生成装置５において、電解槽５１の所定の最高水位Ｈより上方に、食塩水タンク５９からの食塩水を電解槽５１内に供給するノズル９０が設けられ、食塩水出口９０ａは所定の最高水位Ｈよりも上方に位置し、ノズル９０は、重力に依存の逆止弁９１を備えるとともに斜めに傾けて配置され、電解槽５１には、ノズル９０の傾きの下限を定める下限ピン９３、及び、ノズル９０の傾きの上限を定める上限ピン９２を設けた。【選択図】図８
2010179193.tif 000002
【特許請求の範囲】
【請求項１】
電解水を貯留する電解槽と、該電解槽に供給される電解質水溶液を貯留する水溶液タンクとを備えた電解水生成装置において、
前記電解槽の所定の最高水位より上方に、前記水溶液タンクからの水溶液を前記電解槽内に供給するノズルが設けられ、このノズルの出口は前記所定の最高水位よりも上方に位置し、
前記ノズルは、重力に依存の逆止弁を備えるとともに斜めに傾けて配置され、
前記電解槽には、前記ノズルの傾きの下限を定める下限ピン、及び、前記ノズルの傾きの上限を定める上限ピンが設けられたこと、
を特徴とする電解水生成装置。
【請求項２】
前記上限ピンに、前記電解槽に水を供給するチューブをバンドで止めたこと、
を特徴とする請求項１に記載の電解水生成装置。
【請求項３】
一つの大空間に開口した複数の吹出し口に給気ダクトを介して接続され、該給気ダクトを介して各吹出し口に調和空気を供給する空気調和機を設け、
該空気調和機から複数の吹出し口に向かう送風路にチャンバを設け、
該チャンバ内に調和空気と電解水とを接触させて該調和空気を除菌する複数の気液接触部材を有する空気除菌部と、該空気除菌部の気液接触部材に供給される電解水を生成する電解水生成装置とを備え、
前記電解水生成装置は、電解水を貯留する電解槽と、該電解槽に供給される電解質水溶液を貯留する水溶液タンクとを備え、
前記電解槽の所定の最高水位より上方に、前記水溶液タンクからの水溶液を前記電解槽内に供給するノズルが設けられ、このノズルの出口は前記所定の最高水位よりも上方に位置し、
前記ノズルは、重力に依存の逆止弁を備えるとともに斜めに傾けて配置され、
前記電解槽には、前記ノズルの傾きの下限を定める下限ピン、及び、前記ノズルの傾きの上限を定める上限ピンが設けられたこと、
を特徴とする空気調和除菌システム。
【発明の詳細な説明】
【技術分野】
【０００１】
本発明は、電解水を生成する電解水生成装置、及び、この電解水生成装置を備えた空気調和除菌システムに関する。
【背景技術】
【０００２】
従来、水道水を電気分解して次亜塩素酸を含む電解水を生成させ、この電解水を用いて空気中に浮遊するウィルス等の除去を図った除菌装置が提案されている（例えば、特許文献１参照）。この除菌装置は、不織布等からなる加湿エレメントに電解水を供給して、加湿エレメント上で空気中のウィルス等を電解水に接触せしめ、ウィルス等を不活化することにより、空気を除菌しようとするものである。
【特許文献１】特開２００２−１８１３５８号公報
【発明の開示】
【発明が解決しようとする課題】
【０００３】
ところで、水を電気分解して電解水を生成させる装置では、電解水を貯留する電解槽に食塩水等の電解質水溶液を供給することで水に塩化物イオン等を添加し、電解水の濃度を調整することがある。上記食塩水は、電解槽内に食塩水を供給するノズルを設けることで供給できるが、この場合、ノズルは、電解槽内の電解水に接触しないように設けられるとともにコンパクトに配置されることが望ましい。
【０００４】
そこで、本発明は、電解水を生成する電解水生成装置、及び、この電解水生成装置を備えた空気調和除菌システムおいて、電解槽内に水溶液を供給するノズルを、電解槽内の電解水に接触しないように、かつ、コンパクトに配置できるようにすることを目的とする。
【課題を解決するための手段】
【０００５】
上記課題を解決するため、本発明は、電解水を貯留する電解槽と、該電解槽に供給される電解質水溶液を貯留する水溶液タンクとを備えた電解水生成装置において、前記電解槽の所定の最高水位より上方に、前記水溶液タンクからの水溶液を前記電解槽内に供給するノズルが設けられ、このノズルの出口は前記所定の最高水位よりも上方に位置し、前記ノズルは、重力に依存の逆止弁を備えるとともに斜めに傾けて配置され、前記電解槽には、前記ノズルの傾きの下限を定める下限ピン、及び、前記ノズルの傾きの上限を定める上限ピンが設けられたことを特徴とする電解水生成装置を提供する。
この構成によれば、水溶液を電解槽内に供給するノズルにおいて、ノズルの傾きの下限を下限ピンで定め、ノズルの傾きの上限を上限ピンで定めたため、ノズルの傾きが上下に変位することを防止できる。これにより、ノズルが下方に傾きすぎてノズルの出口が電解槽の水面に接触することを防止できる。また、ノズルの傾きが上方に変位することが防止されるため、ノズルが備えた重力に依存する逆止弁を設定どおりに機能させることができ、逆止弁を常に正常に機能させることができる。さらに、ノズルを斜めに傾けて配置したため、逆止弁の機能を損なうことがないとともに、ノズルが占める電解槽の上下方向のスペースを小さくでき、ノズルを電解槽にコンパクトに配置できる。
【０００６】
上記構成において、前記上限ピンに、前記電解槽に水を供給するチューブをバンドで止めても良い。
この場合、上限ピンにチューブをバンド止めするため、チューブを固定するための部材を他に設ける必要が無く、チューブを簡単な構成で固定できる。また、チューブが固定されるため、チューブの変位を防止でき、電解槽に水を安定的に供給できる。
【０００７】
また、本発明は、一つの大空間に開口した複数の吹出し口に給気ダクトを介して接続され、該給気ダクトを介して各吹出し口に調和空気を供給する空気調和機を設け、該空気調和機から複数の吹出し口に向かう送風路にチャンバを設け、該チャンバ内に調和空気と電解水とを接触させて該調和空気を除菌する複数の気液接触部材を有する空気除菌部と、該空気除菌部の気液接触部材に供給される電解水を生成する電解水生成装置とを備え、前記電解水生成装置は、電解水を貯留する電解槽と、該電解槽に供給される電解質水溶液を貯留する水溶液タンクとを備え、前記電解槽の所定の最高水位より上方に、前記水溶液タンクからの水溶液を前記電解槽内に供給するノズルが設けられ、このノズルの出口は前記所定の最高水位よりも上方に位置し、前記ノズルは、重力に依存の逆止弁を備えるとともに斜めに傾けて配置され、前記電解槽には、前記ノズルの傾きの下限を定める下限ピン、及び、前記ノズルの傾きの上限を定める上限ピンが設けられたことを特徴とする空気調和除菌システムを提供する。
この構成によれば、水溶液を前記電解槽内に供給するノズルにおいて、ノズルの傾きの下限を下限ピンで定め、ノズルの傾きの上限を上限ピンで定めたため、ノズルの傾きが上下に変位することを防止できる。これにより、ノズルが下方に傾きすぎてノズルの出口が電解槽の水面に接触することを防止できる。また、ノズルの傾きが上方に変位することを防止できるため、ノズルが備えた重力に依存する逆止弁を常に正常に機能させることができる。さらに、ノズルを斜めに傾けて配置したため、逆止弁の機能を損なうことがないとともに、ノズルが占める電解槽の上下方向のスペースを小さくでき、ノズルを電解槽にコンパクトに配置できる。
【発明の効果】
【０００８】
本発明によれば、電解水を生成する電解水生成装置、及び、この電解水生成装置を備えた空気調和除菌システムおいて、電解槽内に水溶液を供給するノズルを、電解槽内の電解水に接触しないように、かつ、コンパクトに配置できる。
【発明を実施するための最良の形態】
【０００９】
以下、図面を参照して本発明の実施の形態について説明する。
本実施の形態では、大空間施設の一例としての映画館１００に、ルーフトップ型空気調和機（以下、空気調和機という）１１０を設置した場合について説明する。図１は、映画館１００と空気調和機１１０の概略図である。
図１に示すように、映画館１００には、前方にスクリーン１０１が配置され、スクリーン１０１の後方に階段状に客席部１０２が設けられている。一方、映画館１００の天井部１０３には、空気調和機１１０から供給された調和空気を館内に吹き出す複数の吹出口１０４が設けられている。これら吹出口１０４は、給気ダクト１０５を介して、空気調和機１１０の供給口１１１に連結されている。
また、映画館１００の床部１０６には、床部１０６付近の館内空気（内気）を吸い込む吸込口１０７が設けられている。吸込口１０７は、客席部１０２から見てスクリーン１０１の背面側に設けられ、スクリーン１０１の背後空間を上方に延びる吸気ダクト１０８を介して、空気調和機１１０の内気導入口１１２に連結されている。また、空気調和機１１０には、空気調和機１１０内に屋外の空気（外気）を導入する外気導入口１１３が形成されている。
映画館１００内の空気（内気）は、矢印Ｘで示すように、吸込口１０７から吸い込まれ、吸気ダクト１０８及び内気導入口１１２を通じて、空気調和機１１０内に導かれる。ここで、空気調和機１１０内には、外気導入口１１３を通じて外気が導かれているため、この外気と上記内気とが当該空気調和機１１０内で混合される。この混合された空気は、空気調和機１１０が備える利用側熱交換器２１（図２）で熱交換された後、供給口１１１及び給気ダクト１０５を通じて、吹出口１０４から調和空気として映画館１００内に供給される。
【００１０】
空気調和機１１０は、例えば、映画館、劇場、病院、または、ショッピングセンタ等、不特定多数の人が長時間滞在する大空間施設を有する構造物（ビル）２００の屋上に設置され、その直下あるいは近傍の空間を空気調和する。
図２及び図３は空気調和機１１０の構成を示す図であり、図２は空気調和機１１０の概略構成を示す図、図３は空気調和機１１０における空気の出入りを示す模式図である。
【００１１】
図２及び図３に示すように、空気調和機１１０は、１つの筐体１１４に熱源側ユニット１と利用側ユニット２とを一体に備えて構成される。
具体的には、筐体１１４内は、仕切板１１５によって区分けされており、一方の室（機械室）１１６に熱源側ユニット１が配置され、他方の室１１７に利用側ユニット２が配置されている。これら熱源側ユニット１及び利用側ユニット２は、冷媒配管１０で連結されて冷媒回路を形成している。
熱源側ユニット１は、図２に示すように、冷媒配管１０に設けられた圧縮機１１を備え、圧縮機１１の吸込側に、アキュムレータ１２が接続され、その吐出側には四方弁１３と熱源側熱交換器１４と電動膨張弁１５とが順に接続されている。また、熱源側ユニット１には、熱源側熱交換器１４へ向かって送風する熱源側送風機１６が配設されている。
一方、利用側ユニット２は、上記冷媒配管１０を介して電動膨張弁１５に接続される利用側熱交換器２１と、利用側熱交換器２１へ向かって送風する利用側送風機２２とを備えて構成され、当該利用側熱交換器２１は、上記冷媒配管１０を介して上記四方弁１３に接続されている。
【００１２】
冷房運転時には、図２に示す実線矢印の方向に冷媒が流れるように、四方弁１３が切り換えられる。圧縮機１１から吐出された高圧の冷媒は、四方弁１３を経て熱源側熱交換器１４に達し、熱源側熱交換器１４において凝縮されて電動膨張弁１５に送られる。この高圧の冷媒は電動膨張弁１５で膨張して利用側熱交換器２１に流入し、利用側熱交換器２１において蒸発することにより、利用側ユニット２内に導入された空気を冷却する。利用側熱交換器２１で蒸発した冷媒は圧縮機１１の吸込側に戻る。
また、暖房運転時には、図２に示す破線矢印の方向に冷媒が流れるように、四方弁１３が切り換えられる。圧縮機１１から吐出された高圧の冷媒は、利用側熱交換器２１に送られ、利用側熱交換器２１において凝縮することにより、利用側ユニット２内に導入された空気を加温する。利用側熱交換器２１で凝縮した冷媒は、電動膨張弁１５で膨張して熱源側熱交換器１４に流入し、熱源側熱交換器１４で蒸発した後、四方弁１３を介してアキュムレータ１２に送られ、圧縮機１１の吸込側に戻る。
【００１３】
空気調和機１１０には、利用側送風機２２の運転により、利用側熱交換器２１で冷房または暖房された調和空気を除菌する除菌ユニット１５０が設けられている。本実施形態では、空気調和機１１０と、空気調和機１１０内に設けられた除菌ユニット１５０とを備えて空気調和除菌システムが構成され、除菌ユニット１５０は除菌システムに相当する。
除菌ユニット１５０は、図２に示すように、利用側ユニット２に導入された空気に活性酸素種を含む電解水を接触させて空気の除菌を行う空気除菌部４と、所定のイオン種を含む水を電気分解して活性酸素種を含む当該電解水を生成し、この電解水を上記空気除菌部４に循環供給する電解水生成装置５とを備えている。
【００１４】
利用側ユニット２が設けられる他方の室１１７は、図３に示すように、仕切板１１８によって、さらに熱交換室１１９とチャンバとしての除菌室１２０とに区分けされている。
熱交換室１１９には、上記した内気導入口１１２及び外気導入口１１３が形成され、これら内気導入口１１２及び外気導入口１１３の下流側に利用側熱交換器２１が筋交い状に配置されている。熱交換室１１９には内気導入口１１２から映画館１００の館内空気が流入する一方、外気導入口１１３から外気が流入するので、利用側熱交換器２１は、内気導入口１１２からの内気及び外気導入口１１３からの外気が全て利用側熱交換器２１を通過するように配置されている。利用側熱交換器２１は、図３に示すように上記２つの開口部と利用側送風機２２との間に配置され、筋交いのように位置する。
また、仕切板１１８には、熱交換室１１９と除菌室１２０とを連通させる開口１１８Ａが形成されている。開口１１８Ａには利用側送風機２２が取り付けられ、利用側送風機２２の運転により、熱交換室１１９内の空気が開口１１８Ａを通じて除菌室１２０に送風される。除菌室１２０には利用側送風機２２の下流側に空気除菌部４が配置され、空気除菌部４の下流側には、供給口１１１を介して給気ダクト１０５（図１）に連通する後室１２１が形成されている。利用側ユニット２に導入された空気は、除菌室１２０を通過する際に空気除菌部４で電解水と接触することにより除菌され、除菌された空気が後室１２１、供給口１１１及び給気ダクト１０５を通じて、映画館１００内に循環供給される。
【００１５】
図４は、除菌ユニット１５０の概略構成を示す図である。
除菌ユニット１５０は、除菌室１２０内に配置される空気除菌部４と上記除菌室１２０に隣接して配置される電解水生成装置５とを備える。電解水生成装置５は、除菌能を有する電解水を生成して空気除菌部４に循環供給し、空気除菌部４は、電解水生成装置５から供給される電解水と空気とを接触させて空気を除菌する。
空気除菌部４は、６つのエレメントユニット４０Ａ、４０Ｂ、４０Ｃ、４０Ｄ、４０Ｅ、４０Ｆを備えている。エレメントユニット４０Ａ〜４０Ｆは、それぞれ、２枚の気液接触部材を組み合わせて構成されており、本実施形態では合わせて１２枚の気液接触部材４１Ａ１〜４１Ｆ１、４１Ａ２〜４１Ｆ２が用いられている。６つのエレメントユニット４０Ａ〜４０Ｆは、除菌室１２０内の送風路のほぼ全面を覆うように並べて配設され、除菌室１２０内を通る空気が漏れなく気液接触部材４１Ａ１〜４１Ｆ２を通過する構成となっている。
【００１６】
気液接触部材４１Ａ１〜４１Ｆ２は、送風路１２０Ａを通過する空気に電解水を接触させる部材であり、これら気液接触部材４１Ａ１〜４１Ｆ２において送風路１２０Ａを流れる空気が所定の活性酸素種を含む電解水に接触することにより、空気中に含まれるウィルス等が不活化されて空気の除菌が行われる。
【００１７】
また、電解水生成装置５は、電解水を貯留する電解槽５１と、電解槽５１内の水を電気分解して電解水を生成する電解ユニット５２と、電解槽５１内の電解水を空気除菌部４の各気液接触部材４１Ａ１、Ａ２〜４１Ｆ１、Ｆ２にそれぞれ供給する電解水供給管５６と、電解水供給管５６上に設けられた送水ポンプ５３と、送水ポンプ５３の下流側で上記電解水供給管５６から分岐して電解ユニット５２に接続される分岐管５４と、上記ドレンパン４４に流下した水を電解槽５１に導く循環水戻り管５５と、上記電解ユニット５２及び送水ポンプ５３等の動作を制御する制御部６５とを備える。
【００１８】
電解槽５１には、この電解槽５１に市水（水道水）等を供給する給水管５７と、給水弁５８とが接続され、給水弁５８は、電解槽５１内に設けられるフロートスイッチＦＳの動作に基づき、制御部６５によって開閉制御される。ここで、給水管５７に接続されて、電解槽５１に水を供給する給水源は、市水（水道水）或いは給水槽等に貯留された水等のいずれであってもよい。この給水槽等に貯留される水とは、水道水等のように塩化物イオン等のイオン種が予め含有されている水であってもよいし、井戸水等の塩化物イオンの濃度の希薄な水を使う場合には、この水に塩化物イオンを添加して水道水相当に調整された水であってもよい。本実施形態では、これらを総称して水という。
【００１９】
本構成では、電解槽５１には、井戸水等の塩化物イオン濃度の希薄な水を使用した場合であっても、この水に塩化物イオンを添加するために、予め所定の濃度に調整された電解質水溶液としての食塩水を貯留する食塩水タンク５９（水溶液タンク）が設けられ、この食塩水タンク５９と電解槽５１とを繋ぐ食塩水供給管６０上には、食塩水を送る供給ポンプ６１が設けられている。この供給ポンプ６１は、例えば、電解ユニット５２で検出される導電率に基づいて制御部６５の制御によって動作するように構成されている。
なお、活性酸素種を効率よく発生させるために電解槽５１内の水に添加される電解質は食塩に限らず、他の電解質を用いることも可能であり、例えば、塩化カルシウムや塩化マグネシウムを用いてもよいし、他のハロゲンを含む含ハロゲン塩や、塩素及び他のハロゲンの各種ハロゲン酸塩を用いることも可能であり、ハロゲンを含まない電解質を用いてもよい。これらの電解質は水溶性であることが好ましい。
【００２０】
また、本実施形態では、電解槽５１の接続口に接続される電解水供給管５６は、６本の電解水供給管５６Ａ〜５６Ｆにそれぞれ分岐され、送水ポンプ５３から送られた電解水が各電解水供給管５６Ａ〜５６Ｆに略均等に分流されるようになっている。電解水供給管５６Ａ〜５６Ｆは、それぞれエレメントユニット４０Ａ〜４０Ｆに対して電解水を供給する。電解水供給管５６Ａ〜５６Ｆにより供給された電解水は、気液接触部材４１Ａ１〜４１Ｆ２に浸潤され、これら気液接触部材４１Ａ１〜４１Ｆ２から流下してドレンパン４４に集められ、循環水戻り管５５を介して電解槽５１に戻る。
【００２１】
電解ユニット５２は、電解槽５１の側面に固定配置されている。具体的には、電解ユニット５２は、有底円筒形状の本体ケース７０と、本体ケース７０内に収納される少なくとも一対の電極板７２、７３とを備え、これら電極板７２、７３間に電圧を印加することにより、水を電気分解して活性酸素種を含む電解水を生成させる。
ここで、活性酸素種とは、通常の酸素よりも高い酸化活性を持つ酸素分子と、その関連物質のことであり、スーパーオキシドアニオン、一重項酸素、ヒドロキシルラジカル、或いは過酸化水素といった、いわゆる狭義の活性酸素に、オゾン、次亜ハロゲン酸等といった、いわゆる広義の活性酸素を含めたものとする。
【００２２】
電極板７２、７３は、例えば、ベースがチタン（Ｔｉ）で皮膜層がイリジウム（Ｉｒ）、白金（Ｐｔ）から構成された２枚の電極板である。
上記電極板７２、７３間に電圧を印加すると、カソード電極（陰極）では、下記式（１）に示すように反応する。
２Ｈ２Ｏ＋２ｅ−→Ｈ２＋２ＯＨ−    ・・・（１）
アノード電極（陽極）では、下記式（２）に示すように反応する。
２Ｈ２Ｏ→Ｏ２＋４Ｈ＋＋４ｅ−    ・・・（２）
これらカソード電極及びアノード電極での反応を合わせると、下記式（３）に示すように水が電気分解される。
２Ｈ２Ｏ→２Ｈ２＋Ｏ２    ・・・（３）
この反応とともに、アノード電極においては、水に含まれる塩素イオン（塩化物イオン：Ｃｌ−）が下記式（４）に示すように反応し、塩素（Ｃｌ２）が発生する。
２Ｃｌ−→Ｃｌ２＋２ｅ−    ・・・（４）
さらに、この塩素は下記式（５）に示すように水と反応し、次亜塩素酸（ＨＣｌＯ）と塩化水素（ＨＣｌ）が発生する。
Ｃｌ２＋Ｈ２Ｏ→ＨＣｌＯ＋ＨＣｌ    ・・・（５）
【００２３】
アノード電極で発生した次亜塩素酸（広義の活性酸素種）は、強力な酸化作用や漂白作用を有する。次亜塩素酸が溶解した水溶液、すなわち電解ユニット５２により生成される電解水は、ウィルス等の不活化、殺菌、有機化合物の分解等、種々の空気清浄効果を発揮する。このように、次亜塩素酸を含む電解水が電解水供給管５６Ａ〜５６Ｆを流れ、散水ボックスを介して気液接触部材４１Ａ１〜４１Ｆ２に滴下されると、利用側送風機２２により吹き出された空気が気液接触部材４１Ａ１〜４１Ｆ２において次亜塩素酸と接触する。これにより、空気中に浮遊するウィルス等が不活化されるとともに、当該空気に含まれる臭気物質が次亜塩素酸と反応して分解され、或いはイオン化して溶解する。従って、空気の除菌及び脱臭がなされ、清浄化された空気が気液接触部材４１Ａ１〜４１Ｆ２から排出される。
【００２４】
従って、ルーフトップ型空気調和機１１０の除菌室１２０に気液接触部材４１Ａ１〜４１Ｆ２を備えたエレメントユニット４０Ａ〜４０Ｆを配置することにより、この除菌室１２０を通過する空気が気液接触部材４１Ａ１〜４１Ｆ２で除菌され、図１に示すように、この除菌された空気を映画館１００内で広く行き渡らせることが可能となり、大空間施設内での空気除菌及び脱臭を容易に、効率良く行うことができる。
【００２５】
電解水中の活性酸素種の濃度は、制御部６５の制御下、除菌するウィルス等を不活化させる濃度となるように調整される。活性酸素種の濃度の調整は、電極板７２、７３間に印加する電圧を調整して、電極板７２、７３間に流す電流値を調整することにより行われる。例えば、電極板７２に正の電位を与えて、電極板７２、７３間に流れる電流値を、電流密度で２０ｍＡ（ミリアンペア）／ｃｍ２（平方センチメートル）とすると、所定の遊離残留塩素濃度（例えば１ｍｇ（ミリグラム）／ｌ（リットル））を発生させる。また、電極板７２、７３間に印加する電圧を変更して、電流値を高くすることで、電解水中の次亜塩素酸の濃度を高い濃度に調整できる。
【００２６】
また、電解槽５１には、図４に示すように、サイホン方式で排水できる電解槽排水管６７（サイホン管）が設けられている。電解槽排水管６７は、電解槽５１の底部から上方に延びる第１鉛直部６７Ａと、この第１鉛直部６７Ａに連なり略水平方向に延びる水平部６７Ｂと、この水平部６７Ｂに連なりタンク外で下方に延びる第２鉛直部６７Ｃとを備える。この水平部６７Ｂの上端は、通常の電解槽５１内の制御水位よりも高い位置に位置し、この高さ位置まで水を供給することにより、サイホンの原理によって電解槽排水管６７から電解槽５１内の水が排出される。すなわち、電解槽排水管６７を用いて排水を行う場合、電解槽５１の水は、水平部６７Ｂを経て第２鉛直部６７Ｃから流れ落ちる水に引っ張られるようにして排出される。
【００２７】
続いて、空気調和機１１０のより具体的な実施態様を説明する。
図５は、本実施形態における電解水生成装置５の構成及び設置状態を示す外観斜視図である。理解の便宜を図るため、図５には熱源側ユニット１及び利用側ユニット２と、電解水生成装置５と熱源側ユニット１及び利用側ユニット２との間に敷設される配管類とを、併せて図示する。
この図５に示すように、電解水生成装置５は、熱源側ユニット１及び利用側ユニット２とは別体として構成され、その内部に、電解槽５１、食塩水タンク５９、及び電装ボックス３０を備えている。電解水生成装置５と除菌室１２０との間には、電解水生成装置５から除菌室１２０に対して電解水を供給する電解水供給管５６、及び、除菌室１２０から電解水が電解水生成装置５へ環流する循環水戻り管５５が接続されている。また、電解水生成装置５には、市水を電解水生成装置５へ供給する給水管５７が、減圧弁５７Ａを介して接続されている。さらに、電解水生成装置５には、電解槽５１内の水位が所定の最高水位に達した場合に排水を行うオーバーフロー管６８、及び、電解槽５１内の電解水を排出する電解槽排水管６７が取り付けられている。また、除菌室１２０には、除菌室１２０内に納められた除菌ユニット１５０から空気調和機１１０の外へ電解水を排水する排水管６９が接続されている。
そして、電解水生成装置５には、除菌室１２０に近い側に電解槽５１が配置され、電解槽５１の隣には食塩水タンク５９が配置され、除菌室１２０とは反対側に電装ボックス３０が配置されている。
【００２８】
図６は、電解水生成装置５の構成を示す分解斜視図である。電解水生成装置５のケース５０は、着脱可能な蓋５０Ａ、配管引出パネル５０Ｂ、及び電装ボックス側パネル５０Ｃを備えている。配管引出パネル５０Ｂは、電解槽５１が設置された側の側面を構成し、電解水生成装置５の外部と電解槽５１とに繋がる各種配管を通すための複数の孔が穿設されている。
また、電装ボックス側パネル５０Ｃは、電解水生成装置５の前面を構成する側面であり、配管引出パネル５０Ｂ及び配管引出パネル５０Ｂに対向する側面の端が曲げられて形成されたカバー取付部５０Ｅに着脱自在にネジ止めされている。
【００２９】
電装ボックス側パネル５０Ｃを取り外すと、電装ボックス３０を構成する電装ボックスカバー３０Ａが露出する。電装ボックスカバー３０Ａは、電装ボックス側パネル５０Ｃ側から着脱可能になっており、電装ボックス側パネル５０Ｃ及び電装ボックスカバー３０Ａ取り外すことで、電装ボックス３０内にアクセスでき、電装ボックス３０のメンテナンスを容易に行うことができる。
電装ボックス３０には、制御部６５（図４）を構成するマイコン等が実装された制御基板３１や、電解ユニット５２、送水ポンプ５３、供給ポンプ６１等に電源を供給する電源回路部３３等が収容されている。
【００３０】
また、電装ボックス３０は、その底面がケース５０の底面５０Ｄから浮くように、ケース５０の側面にブラケット３５を介して固定され、電装ボックス３０の下方の空間には、供給ポンプ６１及び送水ポンプ５３が並べて設置される。供給ポンプ６１は食塩水タンク５９側に、送水ポンプ５３は電解槽５１側に位置している。
供給ポンプ６１は、食塩水タンク５９の内部に繋がる吸込口６１Ａと、食塩水供給管６０を介して電解槽５１に繋がる吐出口６１Ｂとを有し、吸込口６１Ａから吸い込んだ食塩水を吐出口６１Ｂから吐出する。供給ポンプ６１の脚部６１Ｃは底面５０Ｄに固定されている。
送水ポンプ５３は、電解槽５１内の電解水を吸い込む吸込口５３Ａと、吸込口５３Ａから吸い込んだ電解水を送水ポンプ５３へ吐出する吐出口５３Ｂとを有する。吐出口５３Ｂから吐出された電解水の一部は分岐して、図４に示すように電解ユニット５２へ供給される。送水ポンプ５３の脚部５３Ｃは底面５０Ｄに固定されている。
【００３１】
電解槽５１には、その上方を覆う蓋部材（図示略）が設けられ、蓋５０Ａ及びこの蓋部材を取り外すと、図６に示すように電解槽５１の中が露出する。
電解槽５１の電装ボックス３０側の面を構成する電解槽前面５１ａには、下部に電解ユニット５２が取り付けられるとともに、供給ポンプ６１により送出された食塩水が通る食塩水供給管６０が上部に接続されている。また、電解槽前面５１ａには、給水弁５８を備えた給水管５７、電解槽排水管６７の水平部６７Ｂ（図４）、及び、電解槽５１と送水ポンプ５３の吸込口５３Ａとを接続する電解水供給管５６（図４）が接続されている。
【００３２】
また、電解槽５１の配管引出パネル５０Ｂ側の面を構成する電解槽側面５１ｂには、オーバーフロー排出口８１、水抜き口８２、及び、循環水戻り口８４が設けられている。オーバーフロー排出口８１は、電解槽５１内の電解水の水位が、オーバーフロー排出口８１の高さに達した場合に、電解水をオーバーフロー管６８（図５）から排出させる開口部である。循環水戻り口８４は、除菌室１２０からの循環水戻り管５５が接続される開口部である。また、水抜き口８２は、メンテナンス時に電解槽５１内の電解水を強制的に全量排水するための開口部であり、手作業により開閉されるコック（図示略）が取り付けられている。
【００３３】
電解槽５１の内部は仕切壁６４によって、電解ユニット５２が設けられた側の上流室８６と、この上流室８６の下流側の下流室８７とに区画されている。仕切壁６４には貫通孔が設けられており、この貫通孔にはスケールフィルタ６６が取り付けられ、電解水は上流室８６から下流室８７へスケールフィルタ６６を通って流れる。この下流室８７の側壁には、異なる高さ位置に複数のフロートスイッチ取付部８９が取り付けられ、各々のフロートスイッチ取付部８９に電解槽５１の水位を検出するフロートスイッチＦＳがそれぞれ取り付けられている。
【００３４】
図７は、電解水生成装置５を後面側から見た斜視図である。図８は、電解槽５１の近傍を後面側から見た断面図である。ここで、図７及び図８では、蓋５０Ａ及び電解槽５１の蓋部材の図示を省略している。
図７及び図８に示すように、電解槽５１における上流室８６の電解槽前面５１ａには、円形の開口部５１ｃが形成され、電解ユニット５２は、外側から開口部５１ｃを塞ぐように取り付けられている。電解ユニット５２の電極板７２、７３は開口部５１ｃから電解槽５１の内側に露出するように取り付けられている。
【００３５】
仕切壁６４は、電解槽５１内で長手方向に延在し、電解槽５１の幅方向中央よりもフロートスイッチＦＳの側に寄って設けられており、上流室８６の容積は、下流室８７の容積よりも大きく形成されている。電解槽排水管６７の第１鉛直部６７Ａは、その下端の吸込み口が上流室８６の底近傍に設けられ、仕切壁６４に沿って上方に延び、略直角に屈曲して水平部６７Ｂに繋がっている。また、上流室８６の側の仕切壁６４の面には、スケールフィルタ６６を保持するフィルタ保持部６４ａが設けられている。
【００３６】
電解槽側面５１ｂには、循環水戻り口８４（図６）を介して電解槽５１内に延びる循環水戻り管５５の戻り管出口部５５ａが設けられている。除菌室１２０から電解槽５１に戻る電解水は、戻り管出口部５５ａから吐き出される。この戻り管出口部５５ａは、電解槽５１の深さの中間部に位置している。
また、電解槽側面５１ｂには、オーバーフロー排出口８１（図６）を介して電解槽５１内に延びるオーバーフロー管６８のオーバーフロー管入口部６８ａが設けられている。オーバーフロー管入口部６８ａは、電解槽５１内の電解水の最高水位を規定するものであり、戻り管出口部５５ａ及び電解槽排水管６７よりも高い所定の位置に設けられている。詳細には、略水平に延びるオーバーフロー管入口部６８ａの下端部は、戻り管出口部５５ａよりも上方に設けられた水平部６７Ｂの上端と同等の高さに位置している。
そして、電解槽５１に貯留される電解水は、オーバーフロー管入口部６８ａの高さの水位まで達すると、オーバーフロー管入口部６８ａからオーバーフロー管６８に流入することとなり、外部に排出される。すなわち、電解槽５１の電解水の所定の最高水位Ｈは、図８に２点鎖線で示すように、オーバーフロー管入口部６８ａの下端部の近傍に位置する。
また、電解槽排水管６７の水平部６７Ｂの上端は、所定の最高水位Ｈよりも下方に設けられている。
【００３７】
食塩水供給管６０（図６）は電解槽前面５１ａを介して電解槽５１の内部に延び、図７及び図８に示すように、電解槽５１内の食塩水供給管６０の端には、ノズル接続部６０ａが設けられ、このノズル接続部６０ａには、食塩水を電解槽５１に供給するノズル９０が取り付けられている。ノズル接続部６０ａは、Ｌ字状の管であり、電解槽５１内側の電解槽前面５１ａの壁面から略垂直に延びた後、略直角に屈曲し電解槽前面５１ａの面と略平行に延びている。ノズル接続部６０ａは、上流室８６内の上部において仕切壁６４の近傍に設けられ、所定の最高水位Ｈよりも上方に位置している。また、ノズル接続部６０ａの端部は、上流室８６の中央部を向くように下方に向けて斜めに傾けて配置されている。
【００３８】
ノズル９０は、ノズル接続部６０ａの端に接続され、所定の角度で斜めに傾いて下方に延びている。ノズル９０の下端に設けられた食塩水出口９０ａ（出口）は、所定の最高水位Ｈよりも上方に位置している。また、食塩水出口９０ａには、食塩水出口９０ａから浸入した電解水のノズル９０への逆流を防止する逆止弁９１が設けられている。また、ノズル９０及びノズル接続部６０ａはワンタッチで着脱可能な接続部を有し、ノズル９０をノズル接続部６０ａに差し込むことで容易にノズル９０を取り付けできる。
【００３９】
逆止弁９１は、その内部を流れる液体の流れを規制するボール（図示略）と、ボールを所定の方向に付勢する弾性部材（図示略）とを備えた逆止弁である。逆止弁９１は、重力及び弾性部材の付勢力によって逆止弁９１内の下部に位置する状態では、逆止弁９１内に形成された溝とボールとの隙間から液体の流通を許可し、食塩水供給管６０から供給された食塩水を食塩水出口９０ａへ流す。また、逆止弁９１は、食塩水出口９０ａから流入した液体によりボールが上方に押され、ボールが逆止弁９１内の上部に位置する状態では、液体の流路を塞いで液体の流通を禁止し、食塩水出口９０ａから流入した食塩水のノズル９０への逆流を防止する。
【００４０】
すなわち、逆止弁９１は、上記ボールの動作を重力に依存する重力依存の逆止弁であり、ボールが重力によって下方向に容易に移動可能なように、液体の流路が垂直或いは下方に傾斜するように配置されることが望ましい。
本実施の形態では、ノズル９０が所定の角度で下方に斜めに傾けて配置され、ノズル９０内の流路が斜めに傾斜するため、重力依存の逆止弁９１の機能を損なうことがないとともに、ノズル９０が占める電解槽５１内の上下方向のスペースを小さくでき、ノズル９０を電解槽５１にコンパクトに配置することができる。
【００４１】
図７及び図８に示すように、上流室８６の上部には、ノズル９０を挟んで対向するように配置された上限ピン９２及び下限ピン９３が設けられている。上限ピン９２及び下限ピン９３は、電解槽前面５１ａの壁部に立設されている。
上限ピン９２は、ノズル９０の上方に設けられてノズル９０の傾きの上限を定めるピン部材であり、下限ピン９３は、ノズル９０の下方に設けられてノズル９０の傾きの下限を定めるピン部材であり、ノズル９０の上下方向への移動は、上限ピン９２及び下限ピン９３によって規制されている。これにより、ノズル９０がノズル接続部６０ａを中心として上下に回転することを防ぐことができ、ノズル９０の上下の移動を防止できる。
【００４２】
また、上流室８６の上部では、給水管５７が電解槽前面５１ａを貫通して電解槽５１の内側まで延び、この給水管５７の端には、給水管５７から流れる市水を電解槽５１へ供給するチューブ９４が取り付けられている。チューブ９４は、上限ピン９２の直ぐ上に上限ピン９２と隣接して設けられ、上限ピン９２及び下限ピン９３と略平行に電解槽５１の内側へ延びている。チューブ９４の長さは、チューブ９４から吐出される市水が電解槽５１の中央部に届くように長めに設定され、チューブ９４は上限ピン９２及び下限ピン９３よりも長く形成されている。また、チューブ９４は、帯状の固定バンド９５（バンド）によって、隣接する上限ピン９２に固定されている。このため、比較的長く形成されたチューブ９４を確実に固定できる。
【００４３】
このように、電解水生成装置５の電解槽５１においては、ノズル９０の上下方向への移動が、ノズル９０を挟むように上下に配置された上限ピン９２及び下限ピン９３によって規制されているため、所定の角度で傾いて配置されたノズル９０の角度が変化してしまうことを防止できる。これにより、ノズル９０が上方向に移動して重力依存の逆止弁９１の機能を損なうことを防止できるとともに、ノズル９０が下方に傾きすぎて食塩水出口９０ａが電解槽５１の水面に接触することを防止できる。
また、ノズル９０をワンタッチでノズル接続部６０ａに接続できるため、上限ピン９２及び下限ピン９３が設けられている構成においても簡単にノズル９０を着脱できる。
【００４４】
さらに、電解槽５１の水位は、電解水を電解水生成装置５から空気除菌部４に循環供給する通常の運転の際には電解槽排水管６７の水平部６７Ｂよりも下方に保たれるが、電解槽５１に貯留された電解水を電解槽排水管６７によってサイホン方式で排水する場合には、電解槽排水管６７内を電解水で満たすために、図８に示す所定の最高水位Ｈと同等の水位になるまでチューブ９４を介して水が供給される。この場合においても、食塩水出口９０ａは所定の最高水位Ｈよりも上方に設けられているため、食塩水出口９０ａに電解水が接触することを防止できる。
【００４５】
以上説明したように、本発明を適用した実施の形態によれば、電解槽５１内に食塩水を供給するノズル９０の傾きの下限を下限ピン９３で定め、ノズル９０の傾きの上限を上限ピン９２で定めたため、ノズル９０の傾きが上下に変位することを防止できる。これにより、ノズル９０が下方に傾きすぎて食塩水出口９０ａが電解槽５１の水面に接触することを防止できる。また、ノズル９０の傾きが上方に変位することが防止されるため、ノズル９０が備えた重力に依存する逆止弁９１を設定どおりに機能させることができ、逆止弁９１を常に正常に機能させることができる。さらに、ノズル９０を斜めに傾けて配置したため、逆止弁９１の機能を損なうことがないとともに、ノズル９０が占める電解槽５１の上下方向のスペースを小さくでき、ノズル９０を電解槽５１にコンパクトに配置できる。
【００４６】
また、上限ピン９２にチューブ９４を固定バンド９５によって固定するため、チューブ９４を固定するための部材を他に設ける必要が無く、チューブ９４を簡単な構成で固定できる。また、チューブ９４が固定されるため、チューブ９４の変位を防止でき、電解槽５１に水を安定的に供給できる。
【００４７】
なお、上記実施の形態は本発明を適用した一態様を示すものであって、本発明は上記実施の形態に限定されない。
上記実施の形態では、逆止弁９１は、その内部を流れる液体の流れを規制するボールと、ボールを所定の方向に付勢する弾性部材とを備えた逆止弁であるものとして説明したが、本発明はこれに限定されるものではなく、その動作を重力に依存する逆止弁であれば逆止弁の構造は特に問わない。例えば、弾性部材を備えず、ボールのみを備えた逆止弁であっても良い。また、その他の細部構成等についても任意に変更可能であることは勿論である。
【図面の簡単な説明】
【００４８】
【図１】本実施形態に係るルーフトップ型空気調和機が建屋に設置された状態を示す断面図である。
【図２】空気調和機の概略構成を示す図である。
【図３】空気調和機の内部構成を上方から見た図である。
【図４】空気調和機に設けられた除菌ユニットの概略構成を示す図である。
【図５】電解水生成装置の構成及び設置状態を示す外観斜視図である。
【図６】電解水生成装置の構成を示す分解斜視図である。
【図７】電解水生成装置を後面側から見た斜視図である。
【図８】電解槽の近傍を後面側から見た断面図である。
【符号の説明】
【００４９】
４  空気除菌部
５  電解水生成装置
４１Ａ１、４１Ａ２、４１Ｂ１、４１Ｂ２、４１Ｃ１、４１Ｃ２、４１Ｄ１、４１Ｄ２、４１Ｅ１、４１Ｅ２、４１Ｆ１、４１Ｆ２  気液接触部材
５１  電解槽
５２  電解ユニット
５９  食塩水タンク（水溶液タンク）
６７  電解槽排水管（サイホン管）
９０  ノズル
９０ａ  食塩水出口（出口）
９１  逆止弁
９２  上限ピン
９３  下限ピン
９４  チューブ
９５  固定バンド（バンド）
１００  映画館（大空間）
１０４  吹出口
１１０  空気調和機
１１６  一方の室（機械室）
１１９  熱交換室
１２０  除菌室（チャンバ）
１５０  除菌ユニット
Ｈ  所定の最高水位
【図１】
2010179193.tif 000003
【図２】
2010179193.tif 000004
【図３】
2010179193.tif 000005
【図４】
2010179193.tif 000006
【図５】
2010179193.tif 000007
【図６】
2010179193.tif 000008
【図７】
2010179193.tif 000009
【図８】
2010179193.tif 000010